(57)【要約】【課題】外部に露出している部分に美的価値が大きく外観的な魅力を向上させ、且つ音楽情報を記録するメモリカードを脱落や汚れ等の発生が皆無でメモリカードを安定的に収納可能な携帯型音楽再生装置の提供。【解決手段】音楽情報を記録し前記音楽情報を再生可能な携帯型音楽再生装置であって、使用者の耳に装着されるイヤーピースに情報を伝達可能な本体部と、前記本体部の一方の面に取り付けられるキャップとを具備し、前記本体部は本体側固定手段を有し、前記キャップは、前記本体側固定手段と着脱可能に装着可能なキャップ側固定手段を有する。【選択図】図１
0003154869.tif 000002
【実用新案登録請求の範囲】
【請求項１】
音楽情報を記録し前記音楽情報を再生可能な携帯型音楽再生装置であって、
使用者の耳に装着されるイヤーピースに情報を伝達可能な本体部と、前記本体部の一方の面に取り付けられるキャップとを具備し、前記本体部は本体側固定手段を有し、前記キャップは、前記本体側固定手段と着脱可能に装着可能なキャップ側固定手段を有することを特徴とする携帯型音楽再生装置。
【請求項２】
前記本体部は、前記音楽情報を記録するメモリカードが挿入可能なスロットを有し、前記スロットは、前記本体部の前記キャップとの装着面に設けられ、前記キャップは、前記本体部の前記スロットが配置される側の全面を覆うことが可能であることを特徴とする請求項１に記載の携帯型音楽再生装置。
【請求項３】
前記本体部に着脱可能な前記キャップを複数有し、それぞれのキャップが異なる外観を有することを特徴とする請求項１記載の携帯型音楽再生装置。
【請求項４】
前記本体部と前記イヤーピースとは一体で構成され、前記本体部の一方の側には前記イヤーピースが形成され、前記本体部の他方の側には前記キャップが装着されることを特徴とする請求項１記載の携帯型音楽再生装置。
【請求項５】
前記本体側固定手段は、前記本体の外周に設けられたロック爪であり、
前記キャップ側固定手段は、前記ロック爪と嵌合可能なロック溝であり、
前記ロック爪を前記ロック溝に対して相対的にスライドさせることにより、前記本体部と前記キャップとを固定しあるいは切離すように構成されることを特徴とする請求項１に記載の携帯型音楽再生装置。
【請求項６】
前記本体側固定手段および前記キャップ側固定手段は、互いに螺合可能なねじ構造であり、前記本体部と前記キャップとを固定しあるいは切離すように構成されることを特徴とする請求項１に記載の携帯型音楽再生装置。
【請求項７】
前記キャップを、弾性を有する軟質部材にて構成して、前記本体側固定手段及び前記キャップ側固定手段は前記本体部の外周に該キャップの内周が静合するように構成されたことを特徴とする請求項１に記載の携帯型音楽再生装置。
【考案の詳細な説明】
【技術分野】
【０００１】
本考案は、音楽情報を記録し、該音楽情報を再生可能な携帯型音楽再生装置であって、使用者の耳に装着されるイヤーピースに情報を伝達可能な本体部と、該本体部の一方の面に取り付けられるキャップとを具備した、２分割型の携帯型音楽再生装置に関する。
【背景技術】
【０００２】
携帯型音楽再生装置の一例としては、例えば、特許文献１に示されるように、カード型の大容量ハードディスクにパソコンを用いて音楽ファイルをダウンロードして、該ハードディスクを装置の下部より着脱自在にし、且つ電池駆動可能な専用再生装置を用いて、音楽ファイルを再生するものがある。該専用再生装置には、使用者の耳に装着されるイヤーピースが接続され、該イヤーピースを介して、専用再生装置の音楽ファイルを聴くことができる。
【０００３】
また、携帯型音楽再生装置の他の例としては、携帯型音楽再生装置の表面に表示部とタッチパッドとを備えた一体型の携帯型音楽再生装置が提供されている（特許文献２）。
【先行技術文献】
【特許文献】
【０００４】
【特許文献１】特開２００３−２９５８９６号公報
【特許文献２】特開２００７−８０４２７号公報
【考案の概要】
【考案が解決しようとする課題】
【０００５】
しかし、前記特許文献１においては、専用再生装置は、単に使用者の耳に装着されるイヤーピースが接続されているのみである。また大容量ハードディスクからなるカードは装置の下部より着脱自在にしている。
即ち、前記専用再生装置は、本体が外部に露出しているため、美的価値がなく外観的な魅力は皆無である。また、大容量ハードディスクからなるカードは装置の下部より着脱自在となっているため、カードが脱落する、あるいはカードが汚れることが在り得る。
【０００６】
また、特許文献２の携帯型音楽再生装置も、同様に本体が外部に露出しているため、美的価値がなく外観的な魅力は皆無である。
【０００７】
本考案はかかる従来技術の課題に鑑み、本体部を直接外部に露出させず外観的な魅力を向上させることが可能な携帯型音楽再生装置を提供することを目的とする。
【課題を解決するための手段】
【０００８】
本考案はかかる目的を達成するもので、音楽情報を記録し前記音楽情報を再生可能な携帯型音楽再生装置であって、使用者の耳に装着されるイヤーピースに情報を伝達可能な本体部と、前記本体部の一方の面に取り付けられるキャップとを具備し、前記本体部は本体側固定手段を有し、前記キャップは、前記本体側固定手段と着脱可能に装着可能なキャップ側固定手段を有することを特徴とする。
【０００９】
前記本体部は、前記音楽情報を記録するメモリカードが挿入可能なスロットを有し、前記スロットは、前記本体部の前記キャップとの装着面に設けられ、前記キャップは、前記本体部の前記スロットが配置される側の全面を覆うことが可能に構成してもよい。
【００１０】
前記本体部に着脱可能な前記キャップを複数有し、それぞれのキャップが異なる外観を有してもよい。
【００１１】
前記本体部と前記イヤーピースとは一体で構成され、前記本体部の一方の側には前記イヤーピースが形成され、前記本体部の他方の側には前記キャップが装着されてもよい。
【００１２】
前記本体側固定手段は、前記本体の外周に設けられたロック爪であり、前記キャップ側固定手段は、前記ロック爪と嵌合可能なロック溝であり、前記ロック爪を前記ロック溝に対して相対的にスライドさせることにより、前記本体部と前記キャップとを固定しあるいは切離すように構成されてもよい。
または、前記本体側固定手段および前記キャップ側固定手段は、互いに螺合可能なねじ構造であり、前記本体部と前記キャップとを固定しあるいは切離すように構成されてもよい。
さらに、前記キャップを弾性を有する軟質部材等にて構成して、前記本体側固定手段及びキャップ側固定手段は、前記本体部の外周に該キャップの内周が静合するように構成されてもよい。
【００１３】
本考案によれば、本体部およびキャップにそれぞれ本体側固定手段とキャップ側固定手段とが設けられ、これらが着脱可能に構成されるため、本体部が外面に露出せず、キャップによって外観に優れる携帯型音楽再生装置を得ることができる。従って、本体部の露出部分をキャップで覆い、該キャップに異なる絵柄や文字の組み合わせを選別して配置することにより、露出部分が、該キャップに印刷等がなされた異なる絵柄や文字の組み合わせによって美麗化することができ、美的価値が大きくなり、外観的な魅力を向上できる。
【００１４】
また、キャップの内部に、本体部内に設けたスロットに音楽情報を記録するメモリカードを挿入可能にして、該キャップにより、本体部のスロットが配置される側の全面を覆うことで、メモリカードおよびスロットを保護することができる。メモリカードの脱落や汚れ等の発生が皆無となり、メモリカードの安定的な保持ができる。
【００１５】
また、本体部に対して異なる外観を有する複数のキャップを着脱可能とすれば、キャップを交換することで容易に外観を変化させることができる。また、本体部とイヤーピースとが一体で構成されれば、耳に装着した状態でキャップが耳部を覆うように構成されるため、耳に携帯型音楽再生装置を装着した状態で見た目に優れる。
【００１６】
また、本体側固定手段がロック爪であり、キャップ側固定手段がロック溝であり、ロック爪をロック溝にスライドさせることで着脱可能とすれば、キャップの着脱や交換が容易であり、キャップを本体部に確実に固定することができる。
また、本体部とキャップとをねじで固定すれば、キャップの脱落の恐れがなく確実にキャップを本体部に固定でき、着脱作業も容易である。
また、弾性を有する軟質部材にてキャップを構成して、本体部の外周に該キャップの内周が静合するようにすれば、軟質部材製のキャップを本体部の外周に静合することにより、キャップの装着及び取り外しが簡単になる。
【考案の効果】
【００１７】
本考案によれば、本体部を直接外部に露出させず外観的な魅力を向上させることが可能な携帯型音楽再生装置を提供することができる。
【図面の簡単な説明】
【００１８】
【図１】本考案の第１実施例にかかる携帯型音楽再生装置を示し、（ａ）はその組立平面図、（ｂ）はそのキャップを取外した本体部のみの組立平面図、（ｃ）は（ｂ）におけるＢ部拡大図。
【図２】キャップ２、２ｂ、２ｃの表面の外観例を示す図。
【図３】キャップを示す図であり、（ａ）はキャップの裏面図、（ｂ）は（ａ）のＣ部拡大図、（ｃ）は（ｂ）のＤ―Ｄ矢視図、（ｄ）は（ｂ）のＥ―Ｅ断面図。
【図４】図１（ａ）のＡ−Ａ線部分断面図。
【図５】本体部１ａとキャップ２との係合方法を示す図で、（ａ）は本体部にキャップを被せた状態を示す平面図、（ｂ）、（ｃ）、（ｄ）は各係合工程の（ａ）のＦ部拡大図。
【図６】本考案の他の実施例を示す図１（ａ）のＡ−Ａ線断面図の相当図であり、（ａ）は第２の実施形態を示し、（ｂ）は第３の実施形態を示す図。
【図７】本考案の第４実施形態にかかる携帯型音楽再生装置を示し、（ａ）はキャップ組付け前の平面斜視図、（ｂ）はキャップ組付け後の平面斜視図、（ｃ）は（ａ）におけるＨ部拡大断面図。
【考案を実施するための形態】
【００１９】
以下、本考案の実施の形態を詳細に説明する。図１は、本考案にかかる音楽再生装置１を示す図であり、図１（ａ）はキャップ２が取り付けられた音楽再生装置１を示し、図１（ｂ）はキャップ２を取り外した状態の本体部１ａ、１ｂを示す図である。
【００２０】
図１（ａ）に示すように、音楽再生装置１は、主に、本体部１ａ、１ｂおよびキャップ２等から構成される。略円形の本体部１ａ、１ｂは、ケーブル接続部６に取り付けられたケーブル５を介して接続される。本体部１ａには、ボタン７が設けられる。ボタン７は音楽再生装置１の各種操作を行うものである。本体部１ａ、１ｂには耳ケージ４がそれぞれ設けられる。耳ケージ４は、使用者の耳に装着するためのものである。
【００２１】
キャップ２は、本体部１ａ、１ｂの外面の前面を覆うように本体部１ａ、１ｂそれぞれに取り付けられる。キャップ２は、概ね本体部１ａ、１ｂと同様の形状であり、例えば薄い金属板や薄い樹脂板等からなる。キャップ２の外面２ｓには、図柄２ａが描かれている。キャップ２の詳細については後述する。
【００２２】
音楽再生装置１は、図示を省略したリチウムイオンバッテリー等の電源と、ＭＰ３、ＷＡＶ等のフォーマットのミュージックデータ、ＪＰＥＧ、ＢＭＰ等のフォーマットのピクチャーデータ、ＭＰＥＧ２等のビデオデータを格納するフラッシュメモリ等からなる記憶部と、各スイッチおよび入出力の端子部を制御する回路部品（ボタン７により調整される）等を収容している。
【００２３】
音楽再生装置１に内蔵されるリチウムイオンバッテリーは、例えばＵＳＢ（Ｕｎｉｖｅｒｓａｌ  Ｓｅｒｉａｌ  Ｂｕｓ）端子にＵＳＢケーブル等を介して接続される外部機器（例えば、パーソナル・コンピュータ：ＰＣ）から供給される電力に基づいて充電されるように構成されている。前述の通り、ボタン７によって、音楽再生装置１の電源のＯＮ／ＯＦＦ、メニュー選択操作、および再生等の種々の操作を行うことができる。音楽再生装置１は、内部メモリである記憶部やメモリカード８に記憶された音楽情報を再生することができ、使用者はイヤーピース９（図４参照）を介して音楽を聴くことができる。
【００２４】
図１（ｂ）に示すように、本体部１ａには音楽情報を記録するメモリカード８が挿入可能なスロット２１が形成される。スロット２１から前記メモリカード８を挿入、あるいは抜き出し可能となっている。なお、キャップ２は、本体部１ａのスロット２１が形成される側の全面を覆うことができる。
【００２５】
本体部１ａ、１ｂには本体側固定手段３が形成される。本体側固定手段３は、本体部１ａ、１ｂの外周部近傍に複数（図では円周方向に等分３箇所）に設けられる。
【００２６】
図１（ｃ）は、図１（ｂ）のＢ部拡大図である。図１（ｃ）に示すように、本体側固定手段３は、支持部３ｓを備えており、該支持部３ｓの根本部が弾性支持部３ｂとなる。支持部３ｓは、弾性支持部３ｂで、本体部１ａ、１ｂの径方向に弾性変形可能である。支持部３ｓの外周部にはロック爪３ｃが形成される。ロック爪３ｃは、支持部３ｓの外方に突出した突起状の部位である。すなわち、ロック爪３ｃは、弾性支持部３ｂを基点として本体部１ａ、１ｂの径方向に動作可能である。
【００２７】
次にキャップ２について詳細に説明する。図２はキャップ２の各種態様を示す図である。キャップ２は、図２（ａ）、図２（ｂ）、図２（ｃ）に示すように、各種の図柄２ａ、２ｅ、２ｆが外面２ｓに描かれる。したがって、キャップ２、２ｂ、２ｃを必要に応じて交換することができる。なお、キャップの図柄はこれらに限られず、また、無地で各色のキャップを使用してもよい。
【００２８】
図３（ａ）はキャップ２の裏面図であり、図３（ｂ）は図３（ａ）のＣ部拡大図、図３（ｃ）は図３（ｂ）のＤ−Ｄ線矢視図、図３（ｄ）は図３（ｂ）のＥ−Ｅ線断面図である。
キャップ２の外周部には、他の部位よりも厚さの厚いキャップ縁部２ｄが形成される。キャップ縁部２ｄの内周面側にはキャップ側固定手段３ａが形成される。キャップ側固定手段３ａは、キャップ縁部２ｄに複数（図では円周方向に等分３箇所）に設けられる。すなわち、キャップ側固定手段３ａは、本体部１ａ、１ｂに設けられる本体側固定手段３と対応する位置に設けられる。
【００２９】
図３（ｂ）、図３（ｃ）に示すように、キャップ側固定手段３ａにおいて、キャップ縁部２ｄの内面側に切欠き３ｅが形成される。切欠き３ｅは、キャップ縁部２ｄの内面側の一部が、キャップ縁部２ｄの厚さ方向に切り取られた形状である。
【００３０】
図３（ｃ）、図３（ｄ）に示すように、切欠き３ｅの底部からキャップ２の円周方向に沿ってキャップ縁部２ｄの下部が切り取られたスライド溝３ｆが形成される。また、スライド溝３ｆには、溝の厚さが大きくなる（溝部上方のキャップ縁部２ｄの厚さが薄くなるように、ロック溝３ｇが形成される。すなわち、ロック溝３ｇはスライド溝３ｆにおいて部分的に形成されたキャップ２径方向の溝である。
【００３１】
次に、本体１ａ、１ｂとキャップ２との接合構造について説明する。図４はキャップ２と本体部１ａとが係合した状態の側面図であり、図１（ａ）のＡ−Ａ線部分断面図である。なお、以下の説明においては本体部１ａについて述べるが、本体部１ｂについても同様である。図４に示すように、本体１ａと一体で形成されたイヤーピース９とは反対側にキャップ２がかぶせられる。キャップ側固定手段３ａはキャップ縁部２ｄに形成される。一方、本体側固定手段３ａはキャップ側固定手段３と対向するように形成される。すなわち、本体部１ａの本体側固定手段３が形成される外周部には、キャップ縁部２ｄが嵌るように段差が形成される。
【００３２】
キャップ２が本体部１ａに固定される状態においては、本体側固定手段３のロック爪３ｃが、キャップ側固定手段３ａのロック溝３ｇに嵌った状態となる。すなわち、ロック爪３ｃは、ロック溝３ｇに嵌ることで、キャップ２の回転方向および軸方向へのずれが防止され確実に固定される。
【００３３】
次に、キャップ２を本体１ａに装着する方法について説明する。図５はキャップ２を本体１ａ装着する工程を示す図であり、図５（ａ）はキャップ２を本体部１に被せた状態を示す図、図５（ｂ）、図５（ｃ）、図５（ｄ）はキャップの取り付け工程を示す、図５（ａ）のＦ部拡大図である。
【００３４】
まず、図５（ａ）に示すように、キャップ２を本体１ａに被せる。この際、図５（ｂ）に示すように、本体側固定手段３のロック爪３ｃがキャップ側固定手段３ａの切り欠き３ｅに嵌るようにする。
【００３５】
次に、図５（ｃ）に示すように、キャップ２を本体部１ａに対して相対的に回転させる（図中矢印Ｇ方向）。すなわち、キャップ縁部２ｄを本体部１ａの段差に沿ってスライドさせる。この際、支持部３ｓは、スライド溝３ｆに沿って移動するが、ロック爪３ｃはキャップ縁部２ｄの内面に押される。したがって、支持部３ｓは弾性支持部３ｂにおいて弾性変形し、ロック爪３ｃが本体部１ａの中心方向に移動する。
【００３６】
この状態からさらにキャップ２を本体部１ａに対して相対的に回転させる（図中矢印Ｇ方向）と、図５（ｄ）に示すように、ロック爪３ｃがロック溝３ｇの位置までスライド移動する。ロック溝３ｇはロック爪３ｃと嵌合可能である。したがって、支持部３ｓの弾性変形が開放されて、ロック爪３ｃがロック溝３ｇ方向（径方向）に移動しロック溝３ｇに嵌り込む。以上によりキャップ２が本体部１ａに固定される。なお、キャップ２を本体部１ａより外す場合には、以上の逆の方法で行えばよい。
【００３７】
以上のように、第１の実施形態にかかる音楽再生装置１によれば、音楽再生装置の要部を本体部１ａに設け、これに例えば板金状の複数個のキャップ２を自在に選んで本体側固定手段３とキャップ側固定手段３ａによって容易に装着することができる。このため、それぞれのキャップ２が異なる外観、例えば図２（ａ）図２（ｂ）のような絵柄や図２（ｃ）のような文字を組み合わせた図柄２ｆ等の異なる絵柄や文字の組み合わせのキャップ２等を適宜選択して用いることができる。従って、本体部が外部に露出せず、キャップ２で覆われるため音楽再生装置１を美麗化することができ、美的価値が大きくなり、外観的な魅力を向上できる。
【００３８】
また、キャップ２が、本体部１ａの音楽情報を記録するメモリカード８が挿入可能なスロット２１が配置される側の全面を覆うことが可能であるため、メモリカード８およびスロット２１を保護することができる。したがって、メモリカード８の脱落や汚れ等の発生が皆無となり、メモリカード８の安定的な保持ができる。
【００３９】
また、本体側固定手段３（ロック爪３ｃ）とキャップ側固定手段３ａ（ロック溝３ｇ）を円周方向に複数個設け、ロック爪３ｃを切り欠き３ｅ及びロック溝３ｇに対して相対的に円周方向に回動（スライド）させることにより、前記本体部１ａと前記キャップ２とを固定することができる。このため、キャップ２を本体部１ａに対して相対的に円周方向に回動（スライド）させることで容易にキャップ２を本体部１ａに固定でき、また、キャップ２を円周方向の逆方向に回動（スライド）させることで、キャップ２を本体部１ａから簡単に取外すことが出来る。
【００４０】
次に、第２の実施形態について説明する。図６（ａ）は第２の実施形態にかかる音楽再生装置を示す図であり、図１（ａ）のＡ−Ａ線部分断面図に相当する図である。なお、以下の実施形態において、図１等と同様の機能、効果を奏する構成については、図１等と同一の符号を付し、重複した説明を省略する。図６（ａ）は、図４とほぼ同様であるが、本体側固定手段とキャップ側固定手段とが異なる。図６（ａ）においては、本体側固定手段３およびキャップ側固定手段３ａが、それぞれ本体部１ａに設けられた雄ねじ部１１、キャップ２に設けられた雌ねじ部１０である。すなわち、雄ねじ部１１と雌ねじ部１０とを螺合させたねじ部を構成することによって、本体部１ａ（あるいは本体部１ｂ）と前記キャップ２とが固定される。
【００４１】
第２の実施形態によれば、第１の実施形態と同様の効果を奏することができる。特に、キャップ２を本体部１ａに対して螺合させることでキャップ２と本体部１ａとの結合が確実であり、脱落等がなく確実に結合できる。
【００４２】
次に、本考案の第３の実施形態について説明する。図６（ｂ）は第３の実施形態にかかる音楽再生装置を示す図であり、図１（ａ）のＡ−Ａ線部分断面図に相当する図である。図６（ｂ）は、図４とほぼ同様であるが、本体側固定手段とキャップ側固定手段とが異なる。図６（ｂ）においては、本体側固定手段３およびキャップ側固定手段３ａが、それぞれ本体部１ａの円周方向に設けられた凸溝１４、キャップ２の円周方向に設けられた凹溝１３である。すなわち、本体部１ａの凸部１４をキャップ２の凹溝１３に嵌めることでキャップ２が本体部１ａに固定される。なお、キャップ２としては、ゴム材等の弾性を有する軟質部材にて構成してもよい。
【００４３】
第３の実施形態によれば、第１の実施形態と同様の効果を奏することができる。また、本体部１ａの外周の凸部１４にキャップ２の内周の凹溝１３を嵌合させればよく、キャップ２の装着及び取り外しが簡単となる。
【００４４】
次に、第４の実施形態にかかる音楽再生装置２０について説明する。図７は音楽再生装置２０を示す図であり、図７（ａ）はキャップ組付け前の平面斜視図、図７（ｂ）はキャップ組付け後の平面斜視図、図７（ｃ）は図７（ａ）におけるＨ部拡大断面図である。
【００４５】
携帯型の音楽再生装置２０は、使用者の左右の耳に装着される２つのイヤーピース９，９がケーブル２３によって連結された直方体の本体部２１を備え、該本体部２１には外面２２ｓに図柄２２ａが描かれたキャップ２２が、着脱自在に取付けられる。なお、本体部２１は本体部１ａと同様の機能を有する。
【００４６】
本体部２１の外周部には本体側固定手段３が左右に各２組設けられる。また図示を省略するが、キャップ２２の内面には、キャップ側固定手段が設けられる。図７（ｃ）に示すように、本体側固定手段３は、外周方向に突出したロック爪３ｃと該ロック爪３ｃを支える支持部３ｓ等により構成されている。すなわち、図１（ｃ）と略同様の構成である。
【００４７】
またキャップ側固定手段３ａも、図３（ｂ）、（ｃ）、（ｄ）と同様の構成を有し、キャップ縁部２ｄの円周方向位置４箇所（複数個所でよい）に切り欠き３ｅが設けられている。該切り欠き３ｅには、図２（ｃ）のようにスライド溝３ｆが連設され、該スライド溝３ｆの中間部にロック溝３ｇが刻設されている。したがって、本体側固定手段３及びキャップ側固定手段３ａは、図５とほぼ同様の構造で互いにされる。すなわち、キャップ２２を本体部２１に対して相対的にスライドさせる（図中Ｉ方向）ことで本体側固定手段３及びキャップ側固定手段３ａが固定される。
【００４８】
第４の実施形態によれば、第１の実施形態と同様の効果を奏することができる。また、本体部２１がイヤーピース９と別体であり、直方体であっても、本体部２１を露出させずにキャップを容易に着脱することができる。なお、音楽再生装置２０においてもスロット２１を設けてもよく、この場合、スロット２１を覆うようにキャップ２２が設けられることが望ましい。
【００４９】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００５０】
１  携帯型音楽再生装置
１ａ  本体部
１ｂ  本体部
２、２２、２ｂ、２ｃ  キャップ
２ａ、２ｅ、２ｆ  図柄
２d  キャップ縁部
３  本体側固定手段
３ｃ  ロック爪
３ａ  キャップ側固定手段
３ｅ  切り欠き
３ｇ  ロック溝
４  耳ケージ
５  ケーブル
７  キーボタン
８  メモリカード
９  イヤーピース
１０  雌ねじ部
１１  雄ねじ部
２１  スロット
【図１】
0003154869.tif 000003
【図２】
0003154869.tif 000004
【図３】
0003154869.tif 000005
【図４】
0003154869.tif 000006
【図５】
0003154869.tif 000007
【図６】
0003154869.tif 000008
【図７】
0003154869.tif 000009